(57)【特許請求の範囲】
【請求項１】
画像記録手段を有する本体ユニットと、用紙の搬送手段およびこの搬送手段によって搬送される用紙の画像を読み取る画像読取手段を有し、かつ前記本体ユニットに回動可能に取り付けられた開閉ユニットと、前記本体ユニットに対する前記開閉ユニットの開閉量を制限する開閉量制限部材とを備えたファクシミリ装置であって、
前記開閉量制限部材を、両端部にフック部を有しかつ前記両端部のフック部の開放部の方向を揃えてなる引っ張りコイルスプリングと、一方のフック部に連結する可撓性を有する帯状部材とによって構成し、前記本体ユニットに他方のフック部と連結する取付部を設け、前記帯状部材を前記開閉ユニットに取り付け、前記両端部のフック部の開放部が下方に向くように前記引っ張りコイルスプリングを前記帯状部材および前記本体ユニットに取り付けたことを特徴とするファクシミリ装置。
【請求項２】
前記帯状部材の平面における長手方向に対する直角方向が、前記開閉ユニットの回動軸線に対して平行になるように前記開閉量制限部材を取り付けたことを特徴とする請求項１記載のファクシミリ装置。
【請求項３】
前記開閉量制限部材を前記本体ユニットおよび前記開閉ユニットの一方の側部に取り付け、他方の側部に、前記引っ張りコイルスプリングが弾性変形していない状態における前記開閉量制限部材よりも長くかつ前記引っ張りコイルスプリングの最大伸張時における前記開閉量制限部材よりも短い可撓性を有する開閉量制限部材を取り付けたことを特徴とする請求項１または２記載のファクシミリ装置。
【請求項４】
前記帯状部材の一端部に孔を設け、この孔の周囲に前記フック部の開放部の幅より厚い肉厚部を形成し、前記孔から前記帯状部材の側部にかけて前記開放部の幅より薄い肉薄部を形成し、前記フック部の開放部を前記肉薄部を通過させて前記フック部を前記孔に挿入させて前記帯状部材と前記引っ張りコイルスプリングとを直列に連結したことを特徴とする請求項１，２または３記載のファクシミリ装置。
【請求項５】
前記取付部を、前記フック部を挿入する孔と、この孔に対して前記引っ張りコイルスプリングの引っ張り方向側の近傍に形成され、かつ前記フック部の開放部の幅よりも長い曲げ部とを有する取付部材を前記本体ユニットに取り付けることによって構成し、この取付部材における前記孔の側方の厚さを前記開放部の幅より小さくしたことを特徴とする請求項４記載のファクシミリ装置。
【請求項６】
前記開閉ユニットを開いた際に前記帯状部材が弾性変形して前記帯状部材の一方の端部が上方移動し、前記開閉ユニットを閉じた際に前記帯状部材が基の形状に復帰して下方に倒れるように前記開閉ユニットに対する前記帯状部材の延出方向を設定したことを特徴とする請求項１，２または３記載のファクシミリ装置。
【発明の詳細な説明】
【０００１】
【発明の属する技術分野】
本発明は、画像記録部を有する本体ユニットに対して回動可能な開閉ユニットが備えられたファクシミリ装置に関する。
【０００２】
【従来の技術】
図１０は従来のファクシミリ装置の内部構成を示す側面図であり、１は画像記録用のプロセスカートリッジ２や給紙部３を備えた本体ユニット、４はピックアップローラ５，フィードローラ６，画像読取センサ７，フィードローラ６を回転させる駆動モータ８、さらに原稿の下面をガイドする下ガイド面９等を備えたスキャナユニット、１０は、分離パッド１１，ホワイトローラ１２，用紙の上面をガイドする上ガイド面１３等を備え、さらに上部に操作部１４を備えた操作ユニット、１５は本体ユニット１の上部に設けられた原稿載置部、１６は本体ユニット１に装着する給紙カセット、１７は排出された原稿をスタックする原稿トレイ、１８は排出された画像記録後の用紙をスタックする記録紙トレイを示す。
【０００３】
スキャナユニット４は本体ユニット１の上端部に回動可能に設置されており、操作ユニット１０はスキャナユニット４の上端部に回動可能に設置されている。操作ユニット１０を閉じた状態においては分離パッド１１がフィードローラ６に当接し、ホワイトローラ１２が画像読取センサ７の上部に位置する。
【０００４】
そして、プロセスカートリッジ２の交換や画像記録動作におけるジャム紙の処理を行う場合には、スキャナユニット４を回動させて本体ユニット１の内部を開放する。また、画像読取センサ７の清掃または画像読取動作において搬送不良を起こした原稿の処理を行う場合には、図１０の状態において操作ユニット１０のみを回動させ、スキャナユニット４の上部を開放する。
【０００５】
【発明が解決しようとする課題】
ところで、スキャナユニット４を開く際に、本体ユニット１に対して必要以上にスキャナユニット４が開くことを防止するために、回動を規制する部材が設けられている。
【０００６】
しかしながら、操作ユニット１０の操作性を考慮して操作ユニット１０を比較的開けやすく構成している場合には、スキャナユニット４を開いた際の衝撃が操作ユニット１０に伝達され、操作ユニット１０までも開いてしまうおそれがある。
【０００７】
また、本体ユニット１とスキャナユニット４との間に伸縮性の殆どない帯状の部材を取り付けてスキャナユニット４の回動を規制しようとすると、スキャナユニット４に強い衝撃を与えたり、スキャナユニット４が開放されるおそれがある。
【０００８】
本発明は、このような問題点を解決して、スキャナユニットを回動させた場合にスキャナユニットにかかる衝撃を低減させて操作ユニットまでもが開くことを防止したファクシミリ装置を提供することを目的とする。
【０００９】
【課題を解決するための手段】
前記目的を達成するための本発明は、画像記録手段を有する本体ユニットと、用紙の搬送手段およびこの搬送手段によって搬送される用紙の画像を読み取る画像読取手段を有し、かつ前記本体ユニットに回動可能に取り付けられた開閉ユニットと、前記本体ユニットに対する前記開閉ユニットの開閉量を制限する開閉量制限部材とを備えたファクシミリ装置であって、前記開閉量制限部材を、両端部にフック部を有しかつ前記両端部のフック部の開放部の方向を揃えてなる引っ張りコイルスプリングと、一方のフック部に連結する可撓性を有する帯状部材とによって構成し、前記本体ユニットに他方のフック部と連結する取付部を設け、前記帯状部材を前記開閉ユニットに取り付け、前記両端部のフック部の開放部が下方に向くように前記引っ張りコイルスプリングを前記帯状部材および前記本体ユニットに取り付けたことを特徴とする。このような構成により、開閉ユニットを開いたときにおける開閉ユニットにかかる衝撃が引っ張りコイルスプリングによって吸収され、開閉ユニットに伝達される衝撃が低減される。
【００１０】
また本発明は、前記帯状部材の平面における長手方向に対する直角方向が、前記開閉ユニットの回動軸線に対して平行になるように前記開閉量制限部材を取り付けたことを特徴とする。このような構成により、開閉ユニットの開閉時において帯状部材を一定方向に変形させることが可能になる。
【００１１】
また本発明は、前記開閉量制限部材を前記本体ユニットおよび前記開閉ユニットの一方の側部に取り付け、他方の側部に、前記引っ張りコイルスプリングが弾性変形していない状態における前記開閉量制限部材よりも長くかつ前記引っ張りコイルスプリングの最大伸張時における前記開閉量制限部材よりも短い可撓性を有する開閉量制限部材を取り付けたことを特徴とする。このような構成により、開閉ユニットを勢いよく開けた場合に開閉ユニットにねじれの方向の力が加わることを抑制することが可能になる。
【００１２】
また本発明は、前記帯状部材の一端部に孔を設け、この孔の周囲に前記フック部の開放部の幅より厚い肉厚部を形成し、前記孔から前記帯状部材の側部にかけて前記開放部の幅より薄い肉薄部を形成し、前記フック部の開放部を前記肉薄部を通過させて前記フック部を前記孔に挿入させて前記帯状部材と前記引っ張りコイルスプリングとを直列に連結したことを特徴とする。このような構成により、孔の側方からのみ引っ張りコイルスプリングの取り付けが可能となり、開閉ユニットの開閉時には、肉厚部の作用により引っ張りコイルスプリングは帯状部材から外れないようになる。
【００１３】
また本発明は、前記取付部を、前記フック部を挿入する孔と、この孔に対して前記引っ張りコイルスプリングの引っ張り方向側の近傍に形成され、かつ前記フック部の開放部の幅よりも長い曲げ部とを有する取付部材を前記本体ユニットに取り付けることによって構成し、この取付部材における前記孔の側方の厚さを前記開放部の幅より小さくしたことを特徴とする。このような構成により、孔の側方からのみ引っ張りコイルスプリングの取り付けが可能となり、開閉ユニットの開閉時には、曲げ部の作用により引っ張りコイルスプリングは本体ユニットから外れないようになる。
【００１４】
また本発明は、前記開閉ユニットを開いた際に前記帯状部材が弾性変形して前記帯状部材の一方の端部が上方移動し、前記開閉ユニットを閉じた際に前記帯状部材が基の形状に復帰して下方に倒れるように前記開閉ユニットに対する前記帯状部材の延出方向を設定したことを特徴とする。このような構成により、開閉ユニットを閉じる際に帯状部材が必ず下方に移動するため、前記開閉ユニットを閉じた状態における帯状部材の収納状態が安定するようになる。
【００１５】
【発明の実施の形態】
以下、本発明の実施形態について、図面を参照しながら詳細に説明する。なお、図１０に示した従来技術における部材と同一の部材には同一の符号を付して詳細な説明は省略した。
【００１６】
図１は本発明の一実施形態の装置の外観を示す斜視図、図２は図１の装置のスキャナユニットを開いた状態を示す斜視図、図３は開閉量制限部材の構成を示す斜視図であり、１９は開閉量制限部材、２０は両端部にフック部２０ａ，２０ｂが形成されている引っ張りコイルスプリング、２１は可撓性を有する帯状のベルト、２２はＶ字型の板ばねを示す。開閉量制限部材１９は、引っ張りコイルスプリング２０と帯状のベルト２１とを直列に連結したものであり、本体ユニット１およびスキャナユニット４の一方の側部において両者の間でかつ回動支点から半径方向に離れた位置に架設される。なお、図１，図２においては、給紙カセット１６，原稿トレイ１７および記録紙トレイ１８の記載は省略した。
【００１７】
図３に示すように、ベルト２１の一端部にはフック部２０ａが挿入されかつ連結孔２１ａが形成されており、他端部にはスキャナユニット４にネジにより固定するための固定孔２１ｂが形成されている。また、板ばね２２の一端部には曲げ部２２ａが形成されており、この曲げ部２２ａの近傍にフック部２０ｂが挿入される連結孔２２ｂが形成されている。さらに、連結孔２２ｂが形成されている面と同じ面に、本体ユニット１にねじにより固定するための固定孔２２ｃが形成されている。また、引っ張りコイルスプリング２０のフック部２０ａ，２０ｂの開放部２０ｃ，２０ｄは略同じ方向に設けられている。
【００１８】
図４は図３のベルトの一端部の拡大図である。連結孔２１ａはベルト２１の長手方向に広がる長孔であり、連結孔２１ａの周囲にはフック状の肉厚部２１ｃが形成されている。この肉厚部２１ｃは、フック部２０ａにおける開放部２０ｃの幅よりも厚く設定されている。また、連結孔２１ａのベルト２１の先端側の一方の側部からベルト２１の一方の側部に向かって溝部２１ｄが設けられており、この溝部２１ｄの部分の厚さは肉厚部２１ｃ以外の部分のベルト２１の厚さと同一に形成されている。なお、連結孔２１ａの他方の側部からベルト２１の他方の側部には肉厚部２１ｃが形成されている。
【００１９】
図５はスキャナユニットから下ガイドを外したときスキャナユニットの端部におけるベルトの取付構造を示す斜視図であり、２３は固定ねじ、２４は、スキャナユニット４における固定ねじ２３の取付部の近傍に設けられ、ベルト２１をスキャナユニット４の内側から外側に突出させる孔を示す。そして、ベルト２１を孔２４に通し、固定ねじ２３を固定孔２１ｂに通してスキャナユニット４に螺合させることによって、スキャナユニット４の内側にベルト２１の他端が固定される。この時、スキャナユニット４を開いた際に、図６に示すように肉厚部２１ｃが上方を向き、また、ベルト２１が下方に突出して連結孔２１ａの位置が孔２４よりも下方に位置するように、ベルト２１の突出方向が孔２４によって規制される。また、ベルト２１の平面における長手方向に対する直角方向がスキャナユニット４の回動軸線に対して平行であり、スキャナユニット４の回動方向とベルト２１平面の回動方向は同一であるため、ベルト２１が回動時に描く軌道面を含む平面の範囲内でベルト２１が変形するようになる。
【００２０】
また、図５に示すように固定孔２１ｂを含むベルト２１の他端部には若干の曲げが施されており、この曲げによって、スキャナユニット４に対するベルト２１の取り付けが容易となり、しかもベルト２１の突出状態が安定する。
【００２１】
次に、引っ張りコイルスプリング２０とベルト２１との連結動作について説明する。まずフック部２０ａの開放部２０ｃをベルト２１の溝部２１ｄに対向させ、その状態で引っ張りコイルスプリング２０を側方に移動させる。この時、フック部２０ａの先端は溝部２１ｄを通過して連結孔２１ａにガイドされる。そして、図７に示すように、フック部２０ａの先端が連結孔２１ａまで移動した時点で引っ張りコイルスプリング２０を回転させて、フック部２０ａを連結孔２１ａに挿入することにより、引っ張りコイルスプリング２０とベルト２１とが連結される。なお、フック部２０ａの先端が溝部２１ｄを通過しないで引っ張りコイルスプリング２０とベルト２１とを連結させることは、肉厚部２１ｃが障害となるため不可能である。
【００２２】
ここで、スキャナユニット４を開いた際に肉厚部２１ｃが上方を向いているため、引っ張りコイルスプリング２０をベルト２１に連結させた場合、開放部２０ｃは必ず下方を向くようになる。
【００２３】
次に、引っ張りコイルスプリング２０と板ばね２２との連結動作について説明する。図３において、板ばね２２の板厚はフック部２０ｂにおける開放部２０ｄの幅よりも若干薄く設定されており、曲げ部２２ａの幅はフック部２０ｂにおける開放部２０ｄの幅よりも大きく設定されている。そのため、まず、フック部２０ｂの開放部２０ｄを連結孔２２ｂの側方における板ばね２２の端面に対向させ、その状態で引っ張りコイルスプリング２０を側方に移動させて、フック部２０ａの先端を、連結孔２２ｂの側部の板ばね２２の平面を通過させる。そして、フック部２０ｂの先端が連結孔２２ｂまで移動した時点で引っ張りコイルスプリング２０を回転させて、フック部２０ｂを連結孔２２ｂに挿入することにより、図８に示すように、引っ張りコイルスプリング２０と板ばね２２とが連結される。
【００２４】
ここで、引っ張りコイルスプリング２０と板ばね２２との連結は、板ばね２２の固定孔２２ｃを介して板ばね２２を本体ユニット１にねじ止めする前に行っても、ねじ止めした後に行っても良いが、スキャナユニット４を回動させた際に、開放部２０ｄが下方を向くように連結する必要がある。
【００２５】
次に、スキャナユニット４の開閉動作について説明する。スキャナユニット４を開く際には、本体ユニット１に設けられた図示しないレバーを操作することにより、本体ユニット１とスキャナユニット４との係合状態を解除すると、板ばね２２の付勢により上方に押し上げられて、さらに使用者の操作によりスキャナユニット４が開かれ、図９（ａ）に示すように、引っ張りコイルスプリング２０を持ち上げ、やがて、図９（ｂ）に示すように、引っ張りコイルスプリング２０とベルト２１が張設された状態となって、スキャナユニット４のこれ以上の回動が規制される。この時ベルト２１は、引っ張りコイルスプリング２０から引っ張る力を受けるようになった時点で、弾性変形して上方に持ち上げられた状態となる。
【００２６】
また、使用者の操作によりスキャナユニット４を閉じる際には、ベルト２１が引っ張りコイルスプリング２０から受けていた引っ張る力が解除されるために、ベルト２１が回動する前に弾性変形していたベルト２１が基の状態に復帰し、その結果、ベルト２１が自動的に下がり、同時に引っ張りコイルスプリング２０の一端も下げられる。そして、ベルト２１が下がった状態でさらにベルト２１が下方に回動して本体ユニット１内に収納される。
【００２７】
このように構成したことにより、スキャナユニット４を開く際に、スキャナユニット４が受ける衝撃が引っ張りコイルスプリング２０によって吸収されるために、操作ユニット１０までもが開くことを防止され、また、スキャナユニット４の内部の部材を保護することができる。
【００２８】
また、スキャナユニット４の回動方向とベルト２１の平面の回動方向は同一であるため、ベルト２１の変形方向が一定となり、その結果、本体ユニット１内におけるベルト２１の収納状態が安定するようになる。
【００２９】
また、開放部２０ｃ，２０ｄが下方を向いているため、ベルト２１が下がってフック部２０ａ，２０ｂにおける連結孔２１ａ，２２ｂの位置が変更しても、連結孔２１ａ，２２ｂが開放部２０ｃ，２０ｄに位置することが防止される。仮に、連結孔２１ａ，２２ｂが開放部２０ｃ，２０ｄに位置しても、開放部２０ｃ，２０ｄが一定方向に移動しないかぎり、肉厚部２１ｃおよび曲げ部２２ａが障害となるため、引っ張りコイルスプリング２０が外れることを確実に防止することができる。
【００３０】
また、スキャナユニット４を閉じる際に、ベルト２１が回動することに先立ってベルト２１が下がるために、スキャナユニット４が回動したときにベルト２１が本体ユニット１内に確実に収納される。
【００３１】
以上、本発明の実施形態の装置について説明してきたが、本発明は上述した構成に限るものではない。例えば、上述した構成においては、本体ユニット１およびスキャナユニット４の一方の側部にのみ開閉量制限部材が設けられているが、その構成に加えて、本体ユニット１およびスキャナユニット４の他方の側部に引っ張りコイルスプリング２０が伸張していない状態における開閉量制限部材の長さよりも長く、かつ引っ張りコイルスプリング２０の最大伸張時における開閉量制限部材の長さよりも短く、しかも可撓性を有する帯状の第２ベルトを取り付けても良い。また、このように構成することにより、一方の側部にのみ開閉量制限部材が設けた場合において、スキャナユニット４を勢い良く開いた際にスキャナユニット４の他方の側部にかかるモーメントによってスキャナユニット４が変形することを防止するとともに、引っ張りコイルスプリング２０の伸張量が規制されるため、引っ張りコイルスプリング２０が永久変形してしまうことが防止できる。
【００３２】
【発明の効果】
以上、説明したように構成された本発明によれば、開閉ユニットを開いたときにおける開閉ユニットにかかる衝撃が引っ張りコイルスプリングによって吸収され、開閉ユニットに設けられている他の開閉部材が衝撃によって開くことが低減される。しかも、開閉ユニットを開閉させた際に、帯状部材と引っ張りコイルスプリングとの連結または取付部と引っ張りコイルスプリングとの連結が外れることを防止することができる。
【００３３】
また、開閉ユニットの開閉時において帯状部材を一定方向に変形させることが可能になり、前記開閉ユニットを閉じた状態における帯状部材の収納状態が安定するようになる。
【００３４】
また、開閉ユニットを勢いよく開けた場合に開閉ユニットにねじれの方向の力が加わることを抑制することが可能になり、開閉ユニットの変形を防止することができる。
【００３５】
また、帯状部材の孔または本体ユニットの孔に対して一定方向からのみ引っ張りコイルスプリングの取り付けが可能となり、開閉ユニットの開閉時には、肉厚部または曲げ部の作用により引っ張りコイルスプリングは帯状部材または本体ユニットから外れないようになる。
【００３６】
また、開閉ユニットを閉じる際に帯状部材が必ず下方に移動するため、前記開閉ユニットを閉じた状態における帯状部材の収納状態が安定するようになる。
【図面の簡単な説明】
【図１】本発明の一実施形態の装置の外観を示す斜視図
【図２】図１の装置のスキャナユニットを開いた状態を示す斜視図
【図３】開閉量制限部材の構成を示す斜視図
【図４】ベルトにおける引っ張りコイルスプリングとの連結部分を示す構成図
【図５】ベルトにおけるスキャナユニットとの固定部分を示す構成図
【図６】スキャナユニットに固定したベルトの突出状態を示す説明図
【図７】ベルトと引っ張りコイルスプリングとの連結作業を示す斜視図
【図８】引っ張りコイルスプリングとの連結状態を示す斜視図
【図９】スキャナユニットの開閉時におけるベルトの変形状態および動作を示す説明図
【図１０】従来のファクシミリ装置の内部構成を示す側面図
【符号の説明】
１  本体ユニット
４  スキャナユニット
１０  操作ユニット
１９  開閉量制限部材
２０  引っ張りコイルスプリング
２０ａ，２０ｂ  フック部
２０ｃ，２０ｄ  開放部
２１  ベルト
２１ａ  連結孔
２１ｂ  固定孔
２１ｃ  肉厚部
２１ｄ  溝部
２２  板ばね
２２ａ  曲げ部
２２ｂ  連結孔
２２ｃ  固定孔
２３  固定ねじ
２４  孔
【図１】
0003901864.tif 000002
【図２】
0003901864.tif 000003
【図３】
0003901864.tif 000004
【図４】
0003901864.tif 000005
【図５】
0003901864.tif 000006
【図６】
0003901864.tif 000007
【図７】
0003901864.tif 000008
【図８】
0003901864.tif 000009
【図９】
0003901864.tif 000010
【図１０】
0003901864.tif 000011